(57)【要約】      （修正有）【課題】手動焦点調整時にユーザの焦点調節操作を補助するためのフォーカスガイド表示において、フォーカス指標が表示画面外とならない位置へ表示することを提供する。【解決手段】撮像素子にて検出された撮影光学系の異なる射出瞳を通過した一対の光束を用いて位相差検出する焦点検出手段と、合焦のためのフォーカス領域を示すフォーカス枠６００と、フォーカス枠６００に含まれる被写体に対する合焦位置への調整方向と調整量を示すフォーカス指標６０１〜６１１と、から成るガイド表示であって、ガイド表示を表示部に重畳表示するガイド表示手段と、フォーカス枠６００とフォーカス指標６０１〜６１１の表示位置を取得する表示位置取得手段と、を備え、表示位置取得手段で取得したフォーカス指標６０１〜６１１の表示位置が表示画面外となる場合、フォーカス指標６０１〜６１１を表示画面外とならない位置に表示位置を変更する。【選択図】図６
2019070691.tif 000002
【特許請求の範囲】
【請求項１】
被写体を撮像してライブビュー画像を表示手段に表示する表示制御装置であって、
撮像素子にて検出された撮影光学系の異なる射出瞳を通過した一対の光束を用いて位相差検出する焦点検出手段と、
合焦のためのフォーカス領域を示す枠と、
前記フォーカス枠に含まれる被写体に対する合焦位置への調整方向と調整量を示すフォーカス指標と、
から成るガイド表示であって、
前記ガイド表示を前記表示部に重畳表示するガイド表示手段と、
前記フォーカス枠と前記フォーカス指標の表示位置を取得する表示位置取得手段と、
を備え、
前記表示位置取得手段で取得した前記フォーカス指標の表示位置が表示画面外となる場合、前記フォーカス指標を表示画面外とならない位置に表示位置を変更すること
を特徴とする表示制御装置。
【請求項２】
前記ガイド表示は、前記被写体に合焦していることを示す第１の指標表示形態と、前記合焦位置への調整方向と調整量を示す第２の指標表示形態および第３の指標表示形態と、前記合焦位置への調整方向と調整量を示さない第４の指標表示形態を備え、
前記焦点検出手段によって取得した被写体に対するピントの状態と合焦位置への調整方向と調整量によって、第１の指標表示形態から第４の指標表示形態のいずれか１つの指標表示形態を選択することを特徴とする請求項１に記載の表示制御装置。
【請求項３】
前記ガイド表示の前記第２の指標表示形態および前記第３の指標表示形態は、前記焦点検出手段によって取得した被写体に対する合焦位置への調整量に基づき、前記フォーカス指標の表示距離は、合焦位置への調整量が大きい場合に比べて小さい場合の方が、前記表示距離が小さくなるようにすることを特徴とする請求項２に記載の表示制御装置。
【請求項４】
ユーザによるマニュアルフォーカス操作を受け付ける操作手段を更に有することを特徴とする請求項１乃至３のいずれか１項に記載の表示制御装置。
【請求項５】
被写体を撮像してライブビュー画像を表示するとともに、該ライブビュー画像に重畳して、合焦度合いを示すガイド表示を表示するように制御する表示制御ステップと、前記ガイド表示のライブビュー上における表示位置をユーザの操作に基づいて移動させる移動ステップと、前記ガイド表示の表示位置に基づく焦点検出領域についての合焦度合いに関する情報を取得する取得ステップと、前記取得ステップで取得した情報に基づいて前記ガイド表示の指標表示形態を変更する変更ステップと、前記ガイド表示の表示位置に基づいてフォーカス指標の表示位置を変更する変更ステップと
を有することを特徴とする表示制御装置の制御方法。
【請求項６】
コンピュータを、請求項１乃至４のいずれか１項に記載された表示制御装置の各手段として機能させるためのプログラム。
【請求項７】
コンピュータを、請求項１乃至４のいずれか１項に記載された表示制御装置の各手段として機能させるためのプログラムを格納したコンピュータが読み取り可能な記憶媒体。
【発明の詳細な説明】
【技術分野】
【０００１】
本発明は、表示制御装置及びその制御方法、及び撮像装置に関し、特に、フォーカスに関する情報の表示技術に関するものである。
【背景技術】
【０００２】
測距センサや複数の撮像センサによって被写体のフォーカス評価値を算出し、この評価値に基づいて、撮像されている被写体の前ピン・後ピン状態やピントのずれ具合を表示する表示装置が提案されている。このような表示機能はフォーカスアシスト機能と呼ばれる。
【先行技術文献】
【特許文献】
【０００３】
【特許文献１】特開２０１６−１９７１８０号公報
【発明の概要】
【発明が解決しようとする課題】
【０００４】
しかしながら、上述の特許文献１に開示された従来技術では、クロップモードに設定された場合に、合焦のためのフォーカス領域を示す枠（以下、フォーカス枠）がクロップモードでの撮影範囲内に収まっていない場合には、フォーカス枠を中央に変更する。しかし、最大サイズおよびクロップモードによらず、撮影表示画面に対して、測距範囲が全範囲の場合で、フォーカス枠に含まれる被写体に対する合焦位置への調整方向と調整量を示すフォーカス指標が撮影範囲内に収まっていない場合に関するガイド表示手段については言及されていない。
【０００５】
そこで、本発明の目的は、手動焦点調整時にユーザの焦点調節操作を補助するためのフォーカスガイド表示において、フォーカス指標が表示画面外とならない位置へ表示することを提供することである。
【課題を解決するための手段】
【０００６】
上記目的を達成するために、本発明は、被写体を撮像して撮像画像を表示手段に表示する表示制御装置であって、撮像素子にて検出された撮影光学系の異なる射出瞳を通過した一対の光束を用いて位相差検出する焦点検出手段と、合焦のためのフォーカス領域を示す枠と、前記フォーカス枠に含まれる被写体に対する合焦位置への調整方向と調整量を示すフォーカス指標と、から成るガイド表示であって、ガイド表示を表示部に重畳表示するガイド表示手段と、フォーカス枠とフォーカス指標の表示位置を取得する表示位置取得手段と、を備え、表示位置取得手段で取得したフォーカス指標の表示位置が表示画面外となる場合、フォーカス指標を表示画面外とならない位置に表示位置を変更することを特徴とする表示制御装置が提供される。
【発明の効果】
【０００７】
本発明によれば、マニュアルフォーカス操作時、フォーカス枠が画面表示上のどの位置にあっても、フォーカスガイド表示を行うことで、ユーザの焦点調整操作を補助することが可能となる。
【図面の簡単な説明】
【０００８】
【図１】本発明の実施形態における撮像システムの概略構成を示すブロック図
【図２】実施形態における撮像素子の画素配列の概略図
【図３】実施形態におけるフォーカスアシスト表示の一例を示す図
【図４】フォーカスアシスト表示処理に関するフローチャート
【図５】フォーカスアシスト表示中の画面表示例
【図６】第１実施形態におけるフォーカスアシスト表示の一例を示す図
【図７】第１実施形態における指標表示位置判定処理に関するフローチャート
【図８】第１実施形態におけるフォーカスアシスト表示中の画面表示例
【図９】第２実施形態におけるフォーカスアシスト表示の一例を示す図
【図１０】第２実施形態における指標表示位置判定処理に関するフローチャート
【図１１】第２実施形態におけるフォーカスアシスト表示中の画面表示例
【発明を実施するための形態】
【０００９】
以下に、本発明の好ましい実施の形態を、添付の図面に基づいて詳細に説明する。
【００１０】
＜撮像システムの構成＞
図１は、本発明の実施形態に係るフォーカスアシスト機能を備える撮像システムの概略構成を示すブロック図である。なお、本実施形態では、レンズ交換可能な撮像システムとして説明するが、固定レンズを有する撮像装置であってもよい。図１に示すように、本実施形態における撮像システムは、レンズユニット１００とカメラ本体１１０から構成されている。そして、レンズユニット１００全体の動作を統括制御するレンズ制御部１０６と、撮像システム全体の動作を統括するカメラ制御部１１７がデータを通信している。
【００１１】
まず、レンズユニット１００の構成について説明する。レンズユニット１００は、固定レンズ１０１、絞り１０２、フォーカスレンズ１０３、ズームレンズ（不図示）等により構成される撮像光学系を有する。絞り１０２は、絞り駆動部１０４によって駆動され、後述する撮像素子１１１への入射光量を制御する。フォーカスレンズ１０３は、フォーカスレンズ駆動部１０５によって駆動され、焦点調節に用いられる。不図示のズームレンズは、ズームレンズ駆動部によって駆動されることにより、ズームの調節に用いられる。なお、本実施形態においては、ズームレンズ及びズームレンズ駆動部は必須の構成ではなく、無くても構わない。
【００１２】
絞り駆動部１０４、フォーカスレンズ駆動部１０５、ズームレンズ駆動部はレンズ制御部１０６によって制御され、絞り１０２の開口径や、フォーカスレンズ１０３及びズームレンズの位置が制御される。ユーザによりレンズ操作部１０７に備えられたフォーカスリングやズームリング等の操作により、フォーカスやズームなどの操作が行われた場合には、レンズ制御部１０６がユーザ操作に応じた制御を行う。レンズ制御部１０６は、後述するカメラ制御部１１７から受信した制御命令や制御情報に応じて、絞り駆動部１０４やフォーカスレンズ駆動部１０５、ズームレンズ駆動部の制御を行うと共に、レンズ情報をカメラ制御部１１７に送信する。
【００１３】
次に、本実施形態に係るフォーカスアシスト機能を備えるカメラ本体１１０の構成について説明する。カメラ本体１１０において、撮像素子１１１は、ＣＣＤやＣＭＯＳセンサにより構成され、レンズユニット１００の撮像光学系を通過した光束が撮像素子１１１の受光面上に結像される。そして、形成された被写体像が撮像素子１１１のフォトダイオード（光電変換部）によって入射光量に応じた電荷に光電変換され、蓄積される。各フォトダイオードに蓄積された電荷は、カメラ制御部１１７の指令に従ってタイミングジェネレータ１１９から与えられる駆動パルスに基づいて、電荷に応じた電圧信号として撮像素子１１１から順次読み出される。
【００１４】
なお、撮像素子１１１の詳細構成については後述するが、本実施形態における撮像素子１１１は、通常の撮像信号の他に、位相差方式の焦点検出に用いることのできる一対のフォーカス用信号を出力することができる。
【００１５】
撮像素子１１１から読み出された撮像信号及びフォーカス用信号は、ＣＤＳ／ＡＧＣ回路１１２に入力され、リセットノイズを除去する為の相関二重サンプリング、ゲインの調節、信号のデジタル化を行う。ＣＤＳ／ＡＧＣ回路１１２は、処理した撮像信号をカメラ信号処理部１１３に、フォーカス用信号をフォーカス信号処理部１１４に出力する。
【００１６】
カメラ信号処理部１１３は、ＣＤＳ／ＡＧＣ回路１１２から出力された撮像信号に対して各種の画像処理を施して、映像信号を生成する。表示部１１５は、ＬＣＤや有機ＥＬ等の表示デバイスであり、カメラ信号処理部１１３から出力された映像信号に基づく画像を表示する。また、撮像信号の記録を行う記録モードの時には、撮像信号はカメラ信号処理部１１３から記録部１１６に送られ、光ディスク、半導体メモリ、磁気テープ等の記録媒体に記録される。
【００１７】
フォーカス信号処理部１１４は、ＣＤＳ／ＡＧＣ回路１１２から出力された一対のフォーカス用信号を基に相関演算を行って焦点状態を検出する。ここでは、相関量、デフォーカス量、信頼性情報（二像一致度、二像急峻度、コントラスト情報、飽和情報、キズ情報等）を算出する。そして、算出したデフォーカス量と信頼性情報をカメラ制御部１１７へ出力する。また、カメラ制御部１１７は、取得したデフォーカス量や信頼性情報を基に、これらを算出する設定の変更をフォーカス信号処理部１１４に通知する。
【００１８】
カメラ制御部１１７は、カメラ本体１１０内の各構成と情報をやり取りして制御を行う。また、カメラ本体１１０内の処理だけでなく、ユーザにより操作されたカメラ操作部１１８からの入力に応じて、電源のＯＮ／ＯＦＦ、設定の変更、記録を制御する。更に、オートフォーカス（ＡＦ）／マニュアルフォーカス（ＭＦ）制御の切り替え、記録映像の確認等のユーザ操作に応じた様々な機能を実行する。また、先述したようにレンズユニット１００内のレンズ制御部１０６と情報をやり取りし、撮像光学系の制御命令や制御情報を送信し、レンズユニット１００内の情報を取得する。
【００１９】
＜撮像システムの構成＞
図２は、本実施形態における撮像素子１１１の画素配列の概略を示す図である。図２は、本実施形態で撮像素子１１１として用いられる２次元ＣＭＯＳセンサの画素配列を、撮像画素の４列×４行の範囲で（焦点検出画素の配列としては８列×４行の範囲）で示したものである。
【００２０】
本実施形態において、画素群２００は２列×２行の画素からなり、ベイヤー配列のカラーフィルタにより覆われているものとする。そして、画素群２００において、Ｒ（赤）の分光感度を有する画素群２００Ｒが左上の位置に、Ｇ（緑）の分光感度を有する画素群２００Ｇが右上と左下の位置に、Ｂ（青）の分光感度を有する画素群２００Ｂが右下の位置に配置されている。
【００２１】
さらに、本実施形態の撮像素子１１１は、撮像面位相差方式の焦点検出を行うために、各画素は、１つのマイクロレンズ２０１に対し、複数のフォトダイオード（光電変換部）を保持している。本実施形態では、各画素、２列×１行に配列された２つのフォトダイオード２０２、２０３により構成されているものとする。撮像素子１１１は、図２に示す４列×４行の画素（８列×４行のフォトダイオード）からなる画素群２００を撮像面上に多数配置することで、撮像信号及びフォーカス用信号の取得を可能としている。
【００２２】
このような構成を有する各画素では、光束をマイクロレンズ２０１で分離し、フォトダイオード２０２、２０３に結像する。そして、２つのフォトダイオード２０２、２０３からの信号を加算した信号（Ａ＋Ｂ信号）を撮像信号、個々のフォトダイオード２０２、２０３からそれぞれ読み出した２つの信号（Ａ、Ｂ像信号）をフォーカス用信号として用いる。
【００２３】
なお、撮像信号とフォーカス用信号とをそれぞれ読み出してもよいが、本実施形態では、処理負荷を考慮して、次のようにしてもよい。即ち、撮像信号（Ａ＋Ｂ信号）と、フォトダイオード２０２、２０３のいずれか一方のフォーカス用信号（例えばＡ信号）とを読み出し、差分を取ることで、もう一方のフォーカス用信号（例えばＢ信号）を取得する。
【００２４】
なお、本実施形態では各画素において、１つのマイクロレンズ２０１に対して２つのフォトダイオード２０２、２０３を有する構成としているが、フォトダイオードの数は２つに限定されず、それ以上であってもよい。また、マイクロレンズ２０１に対して受光部の開口位置が異なる画素を複数有するようにしてもよい。つまり、結果としてＡ像信号とＢ像信号といった位相差検出可能な位相差検出用の２つの信号が得られる構成であればよい。また、本発明は図２に示すように全ての画素が複数のフォトダイオードを有する構成に限らず、撮像素子１１１を構成する通常画素内に、図２に示すような焦点検出用画素を離散的に設ける構成であってもよい。
【００２５】
＜フォーカスアシストの表示形態＞
次に、本実施形態におけるフォーカスアシストの表示形態について、図３を用いて説明する。本実施形態では、フォーカスアシスト表示の種類は、第１から第４の表示形態の４つとし、表示パーツ３０１〜３１１により、検出された焦点状態を表現する。表示パーツ３０１〜３１１は、フォーカス枠３００の上部に配置している。
図３（ａ）は、第１の指標表示形態の一例で、被写体に合焦していると判定された状態を示す。
【００２６】
合焦と判定されている状態では、外向きの表示パーツ３０１と内向きの表示パーツ３０２の位置が一致（ここでは上部で停止）している。また、合焦状態と判定されている場合は、例えば、表示パーツ３０１と表示パーツ３０２を他の表示形態の色（例えば白）と異なる色（例えば緑）で表してもよい。
【００２７】
図３（ｂ）、図３（ｃ）は、第２の指標表示形態と第３の指標表示形態の一例で、被写体に合焦していないが、焦点検出結果の信頼度が高い場合に、合焦位置までの方向とデフォーカス量の大きさを示す。図３（ｂ）は、被写体よりも至近側にピントが合っている（前ピン）場合で、外向きの表示パーツ３０３が上部に停止した状態で、内向きの表示パーツ３０４と表示パーツ３０５が円周上に沿って左右対称に移動する。表示パーツ３０４と表示パーツ３０５の位置はデフォーカス量の大きさを示し、両者が表示パーツ３０３の位置（基準位置）から離れるほど、デフォーカス量が大きいことを示している。
【００２８】
なお、表示パーツ３０３は表示パーツ３０１に対応し、表示パーツ３０４と表示パーツ３０５が重なった状態が表示パーツ３０２に対応する。
【００２９】
図３（ｃ）は、被写体よりも無限遠側にピントが合っている（後ピン）場合で、内向きの表示パーツ３０６が上部に停止した状態で、外向きの表示パーツ３０７と表示パーツ３０８が円周上に沿って左右対称に移動する。表示パーツ３０７と表示パーツ３０８の位置はデフォーカス量の大きさを示し、両者が表示パーツ３０６の位置（基準位置）から離れるほど、デフォーカス量が大きいことを示している。なお、表示パーツ３０６は表示パーツ３０２に対応し、表示パーツ３０７と表示パーツ３０８が重なった状態が表示パーツ３０１に対応する。
【００３０】
以上説明したように、第２の指標表示形態と第３の指標表示形態では、移動する表示パーツの位置によってデフォーカス量の大きさを示すことができる。また、上部で停止している表示パーツの向きによって合焦位置までの方向（デフォーカス方向）を示すことができる。
【００３１】
図３（ｄ）は、第４の指標表示形態の一例で、焦点検出結果の信頼性が低い場合を示している。この場合は、デフォーカス量の大きさもデフォーカス方向も示さずに、焦点検出ができないことをユーザに視認させる。ここでは、各表示パーツ３０９〜３１１を他の表示形態と異なる色（例えばグレー）で表示すると共に、各表示パーツ３０９〜３１１を所定位置で固定する。また、各表示パーツ３０９〜３１１の形状を他の表示形態と異ならせる。なお、図３に示すフォーカスアシスト表示は一例であり、本発明はこの表示に限定されるものではない。
【００３２】
＜フォーカスアシストの表示処理＞
次に、カメラ制御部１１７が実行するフォーカスアシストの表示処理について説明する。図４は、カメラ制御部１１７が実行するフォーカスアシストの表示処理の手順を示すフローチャートである。ステップＳ４０１は、カメラ制御部１１７に含まれるＲＡＭに保持された測距位置を読みだすステップである。
【００３３】
ステップＳ４０２は、ステップＳ４０１で得られた測距位置に対応する被写体について、合焦情報および測距成否の情報をフォーカス信号処理部１１４から取得するステップである。合焦情報は、合焦または前ピンまたは後ピンのいずれの状態にあるかという情報と、前ピンまたは後ピンの場合は、合焦点と被写体との間の距離情報を含む。
【００３４】
ステップＳ４０３は、ステップＳ４０１とステップＳ４０２で得られた情報をもとに、表示部１１５によって表示する枠表示位置、指標角度および表示色を決定するステップである。ステップＳ４０４は、ステップＳ４０２で得られた情報について、測距が成功したか失敗したかを判定するステップである。成功していればステップＳ４０５へ、失敗していればステップＳ４１０へ進む。
【００３５】
ステップＳ４０５は、ステップＳ４０２で得られた情報について、被写体が合焦状態にあるか非合焦状態にあるかを判定するステップである。合焦状態であればステップＳ４０７へ、非合焦状態であればステップＳ４０６へ進む。ステップＳ４０６は、ステップＳ４０２で得られた情報について、被写体が前ピン状態であるか後ピン状態であるかを判定するステップである。前ピン状態であればステップＳ４０８へ、後ピンであればステップＳ４０９へ進む。
【００３６】
ステップＳ４０７は、第１の指標表示形態、すなわち被写体が合焦状態である場合の指標表示形態に対応するデータを選択するステップである。この指標と枠のデータの表示例は前述の図３（ａ）である。ステップＳ４０８は、第２の指標表示形態、すなわち被写体が前ピン状態である場合の指標表示形態に対応するデータを選択するステップである。この指標と枠のデータの表示例は前述の図３（ｂ）である。ステップＳ４０９は、第３の指標表示形態、すなわち被写体が後ピン状態である場合の指標表示形態に対応するデータを選択するステップである。この指標と枠のデータの表示例は前述の図３（ｃ）である。
【００３７】
ステップＳ４１０は、第４の指標表示形態、すなわち被写体が大ボケ状態である場合の指標表示形態に対応するデータを選択するステップである。この指標と枠のデータの表示例は前述の図３（ｄ）である。ステップＳ４１１は、ステップＳ４０７からステップＳ４１０のいずれかで選択された指標と枠のデータを、ステップＳ４０３で決定した表示位置、指標角度、表示色で、映像（ライブビュー画像）と重畳し、表示部１１５上の表示位置へ表示するステップである。
【００３８】
図５は、フォーカスアシスト表示中の画面表示例である。図３のフォーカスアシスト表示の場合、ステップＳ４１１で表示したガイド表示の表示位置が図５（ａ）では、画面表示領域５０１の中にフォーカス指標５０２、フォーカス枠５０３は収まる。しかし、図５（ｂ）では、画面表示領域５０１の中にフォーカス枠５０３は収まるが、その上部にあるフォーカス指標５０２は収まらず画面表示領域外となってしまう。そこで、図５（ｂ）の場合のフォーカス指標５０２の表示手段について実施例を用いて説明する。
【００３９】
＜実施例１＞
以下、図６〜図８を用いて、本発明の第１の実施例による、フォーカスアシスト表示が画面表示領域外となった場合の表示手段について説明する。図６は、第１実施形態に係るフォーカスアシスト表示の一例を示す図である。
【００４０】
第１実施形態では、図５（ｂ）のフォーカス指標５０２のように画面表示領域外となった場合は、図６に示すように、図３の表示パーツ３０１〜３１１を１８０度回転させた表示形態である。表示パーツ６０１〜６１１のように表示することで、画面表示領域内に収まるように表示位置を変更する。フォーカス枠６００は、フォーカス枠３００と同様の表示である。
【００４１】
図７は、図４のステップＳ４１１内に第１実施形態の指標表示位置判定処理を追加したフローチャートである。ステップＳ７０１は、指標（表示パーツ３０１〜３１１）が画面表示領域内に表示可能か不可能かを判定するステップである。表示可能であれば図３に示す第１の指標表示形態〜第４の指標表示形態のいずれかを描画する、不可能であればステップＳ７０２へ進む。ステップＳ７０２は、指標を１８０度回転させる処理であるため、図６に示す第１の指標表示形態〜第４の指標表示形態のいずれかを描画する。
【００４２】
図８は、図５（ｂ）に対して、ステップＳ７０２の処理を実施したときのフォーカスアシスト表示中の画面表示例（第３の指標表示形態）である。図５（ｂ）のフォーカス指標５０２を１８０度回転させることで、図８のようにフォーカス指標８０２を画面表示領域内に表示することが可能となる。そして、フォーカス枠に対して、内側の表示パーツが前ピン表示、外側の表示パーツが後ピン表示の表現を統一することができる。
【００４３】
＜実施例２＞
以下、図９〜図１１を用いて、本発明の第２の実施例による、フォーカスアシスト表示が画面表示領域外となった場合の表示手段について説明する。図９は、第２実施形態に係るフォーカスアシスト表示の一例を示す図である。
【００４４】
第２実施形態では、図５（ｂ）のフォーカス指標５０２のように画面表示領域外となった場合は、図９に示すように、図３の表示パーツ３０１〜３１１をフォーカス枠３００の下側へシフトさせた表示形態である。表示パーツ９０１〜９１１のように表示することで、画面表示領域内に収まるように表示位置を変更する。フォーカス枠９００は、フォーカス枠３００と同様の表示である。
【００４５】
図１０は、図４のステップＳ４１１内に第２実施形態の指標表示位置判定処理を追加したフローチャートである。ステップＳ１００１は、ステップＳ７０１同様の判定ステップである。表示可能であれば図３に示す第１の指標表示形態〜第４の指標表示形態のいずれかを描画する、不可能であればステップＳ１００２へ進む。ステップＳ１００２は、指標をフォーカス枠の下側へシフトさせる処理であるため、図９に示す第１の指標表示形態〜第４の指標表示形態のいずれかを描画する。
【００４６】
図１１は、図５（ｂ）に対して、ステップＳ１００２の処理を実施したときのフォーカスアシスト表示中の画面表示例（第３の指標表示形態）である。図５（ｂ）のフォーカス指標５０２をフォーカス枠５０３の下側へシフトさせることで、図１１のようにフォーカス指標１１０２を画面表示領域内に表示することが可能となる。そして、フォーカス指標は、下側の表示パーツが前ピン表示、上側の表示パーツが後ピン表示の表現を統一することができる。
【００４７】
以上、本発明の好ましい実施形態について説明したが、本発明はこれらの実施形態に限定されず、その要旨の範囲内で種々の変形及び変更が可能である。
【００４８】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４９】
１００            ：レンズユニット
１０１            ：固定レンズ
１０２            ：絞り
１０３            ：フォーカスレンズ
１０４            ：絞り駆動部
１０５            ：フォーカスレンズ駆動部
１０６            ：レンズ制御部
１０７            ：レンズ操作部
１１０            ：カメラ本体
１１１            ：撮像素子
１１２            ：ＣＤＳ／ＡＧＣ回路
１１３            ：カメラ信号処理部
１１４            ：フォーカス信号処理部
１１５            ：表示部
１１６            ：記録部
１１７            ：カメラ制御部
１１８            ：カメラ操作部
１１９            ：タイミングジェネレータ
【図１】
2019070691.tif 000003
【図２】
2019070691.tif 000004
【図３】
2019070691.tif 000005
【図４】
2019070691.tif 000006
【図５】
2019070691.tif 000007
【図６】
2019070691.tif 000008
【図７】
2019070691.tif 000009
【図８】
2019070691.tif 000010
【図９】
2019070691.tif 000011
【図１０】
2019070691.tif 000012
【図１１】
2019070691.tif 000013